(57)【要約】【課題】注射器の空気抜きを行う際、注射器内の薬液が封止に飛散するのを防止する注射器の空気抜き装置を提供することにある。【解決手段】一端が開口し他端が閉塞された容器１と、容器の開口に液密に設けられ注射器２のバレル３に接続される注射針４が刺通可能な弾性キャップ５と、気体を通し液体を遮断する構造であって、容器の他端部にこの容器の内部空間に連通して設けられ容器内の気体だけを排出可能とするフィルタ装置１１を具備する。【選択図】      図３
2007275293.tif 000002
【特許請求の範囲】
【請求項１】
注射器のバレル内に薬液を吸引する際、このバレル内に流入した空気を抜くための空気抜き装置であって、
一端が開口し他端が閉塞された容器と、
この容器の開口に液密に設けられ上記バレルに接続される注射針が刺通可能な弾性キャップと、
気体を通し液体を遮断する構造であって、上記容器の他端部にこの容器の内部空間に連通して設けられ上記容器内の気体だけを排出可能とするフィルタ装置と
を具備したことを特徴とする注射器の空気抜き装置。
【請求項２】
上記容器の他端部には、上記フィルタ装置に連通するとともに、上記容器内に空気とともに排出された薬液が上記フィルタ装置に直接流れるのを阻止する液溜め管が内部に突出して設けられていることを特徴とする請求項１記載の注射器の空気抜き装置。
【請求項３】
上記容器内の中途部には、この容器の内部を２つの空間部に隔別する隔壁部材が液密に設けられ、この隔壁部材には、一端が上記容器の他端部側の空間部に向かって所定の長さで突出し他端が隔壁部材の板面から突出しない位置で開口して上記２つの空間部を連通する連通管が設けられていることを特徴とする請求項１又は請求項２記載の注射器の空気抜き装置。
【発明の詳細な説明】
【技術分野】
【０００１】
この発明はバイアルから注射器によって薬液を吸引した後、注射器内に薬液とともに流入する空気を排出するための注射器の空気抜き装置に関する。
【背景技術】
【０００２】
注射器に薬液をバイアルから吸引する場合、注射器のバレルに接続された注射針を上記バイアルの弾性キャップに穿刺する。そして、上記バレルに挿入されたプランジャを引くことで、上記バイアル内の薬液をバレル内に吸引するようにしている。
【０００３】
上記バレル内には薬液とともに空気が吸引されることがある。その場合、バレルを押し込んでバレル内の空気を注射針から吐出させるようにしている。バレル内の空気を吐出させる際、その空気とともに薬液が霧化して噴射されることがある。
【０００４】
薬液がたとえば抗癌剤の場合、制癌作用がある反面、細胞毒性、変異原生或いは発癌性を有するものが多い。そのため、医師や看護師などの作業者が抗癌剤を取り扱う場合には、抗癌剤に接触しないよう、細心の注意が必要となる。
【０００５】
特許文献１には薬液容器兼用注射器が示されている。この特許文献１に示された薬液容器兼用注射器薬液は、内部に薬液を充填して密封された筒状のカートリッジ（バレル）を有し、このカートリッジに注射針を螺着する。それによって、この注射針が上記カートリッジの一端を密封した密封部材を穿刺するから、上記カートリッジの他端を密封した栓にプランジャを接続することで、内部に薬液が収容された注射器となる。
【特許文献１】特開平７−３１３５９７号公報
【発明の開示】
【発明が解決しようとする課題】
【０００６】
特許文献１に示された薬液兼用注射器を用いれば、注射器のバレル内に空気が入り込むことを防ぐことは可能である。しかしながら、通常は上述したように薬液はバイアルに収容されて取り扱われることが多い。
【０００７】
そのため、バイアルの薬液を注射器に吸入するには、バイアルに注射針を刺して薬液を注射器によって吸引することになるから、その注射器のバレル内にバイアル内の空気が薬液とともに吸引されることになる。
【０００８】
とくに、バイアルから注射針を抜く際にバイアルから薬液が飛散するのを防止するため、注射器で薬液を吸引後、バイアル内の空気を注射器でわざわざ吸引してバイアル内部を負圧にしてから注射針を抜くことで、バイアルから薬液が飛散するのを防止するということが行われる。
【０００９】
したがって、薬液を注射器に吸引した後、バレル内に薬液とともに吸引された空気を抜かなければならない。しかしながら、バレル内の空気抜きを行う際、バレル内の薬液が霧化して空気とともに噴射するということがあるから、作業者が薬液を吸引したり、身体に付着するという問題があった。
【００１０】
この発明は、注射器に薬液を吸引した後、その注射器から空気を抜く際、薬液が空気とともに霧化して周囲に飛散するのを防止できるようにした注射器の空気抜き装置を提供することにある。
【課題を解決するための手段】
【００１１】
この発明は、注射器のバレル内に薬液を吸引する際、このバレル内に流入した空気を抜くための空気抜き装置であって、
一端が開口し他端が閉塞された容器と、
この容器の開口に液密に設けられ上記バレルに接続される注射針が刺通可能な弾性キャップと、
気体を通し液体を遮断する構造であって、上記容器の他端部にこの容器の内部空間に連通して設けられ上記容器内の気体だけを排出可能とするフィルタ装置と
を具備したことを特徴とする注射器の空気抜き装置にある。
【００１２】
上記容器の他端部には、上記フィルタ装置に連通するとともに、上記容器内に空気とともに排出された薬液が上記フィルタ装置に直接流れるのを阻止する液溜め管が内部に突出して設けられていることが好ましい。
【００１３】
上記容器内の中途部には、この容器の内部を２つの空間部に隔別する隔壁部材が液密に設けられ、この隔壁部材には、一端が上記容器の他端部側の空間部に向かって所定の長さで突出し他端が隔壁部材の板面から突出しない位置で開口して上記２つの空間部を連通する連通管が設けられていることが好ましい。
【発明の効果】
【００１４】
この発明によれば、容器に設けられた弾性キャップに注射器のバレルに接続された注射針を刺し、上記バレル内を加圧して空気を抜けば、バレルから吐出される空気はフィルタ装置から容器の外部に逃げるから、バレル内から空気を抜くことができ、その際、バレルから空気とともに霧化して吐出する薬液はフィルタ装置を通過することがないから、外部に飛散するのを防止できる。
【発明を実施するための最良の形態】
【００１５】
以下、この発明の一実施の形態を図面を参照して説明する。  
図１はこの発明の空気抜き装置を示し、この空気抜き装置は容器１を備えている。この容器１は一端が開口し、他端が閉塞された筒状をなしていて、その開口は弾性キャップ５によって液密に閉塞されている。この弾性キャップ５には、図２に示す注射器２のバレル３の先端に設けられた接続部３ａに接続された注射針４を穿刺することができる。なお、バレル３にはプランジャ６が液密な状態で摺動可能に収容されている。
【００１６】
上記容器１の閉塞された他端の外面には、容器１の内部に連通する接続管体７が外部に向かって突設されている。この接続管体７には、外径寸法が接続管体７の内径寸法とほぼ同じに設定された液溜め管８が挿通されている。この液溜め管８は一端部を上記容器１内に所定寸法突出させて設けられている。  
なお、液溜め管８は接続管体７と別体とせず、接続管体７を容器１内に突出させてその突出部分を液溜め管８としてもよい。
【００１７】
上記接続管体７にはフィルタ装置１１が接続される。このフィルタ装置１１は樹脂によって外径寸法が上記容器１の外径寸法と略同じに形成された中空円盤部１２を有する。この中空円盤部１２の一側面には上記接続管体７に気密に接続可能な筒状の接続部１３が設けられ、他側面には中空円盤部１２を介して上記接続管体７に連通する筒状の排気部１４が設けられている。
【００１８】
上記中空円盤部１２にはフィルタシート１５が周縁部を挟持されて収容保持されている。このフィルタシート１５は、気体は通すが、液体を通過させることのない疎水性のものが用いられている。疎水性のフィルタシート１５の孔径は、たとえば０．２μｍである。
【００１９】
上記容器１内の中途部には、この容器１内を開放端側の第１の空間部１７と閉塞端側の第２の空間部１８に隔別する隔壁部材１９が装着されている。この隔壁部材１９はゴムなどの弾性材によって形成され、上記容器１内に圧入保持されて上記第１の空間部１７と第２の空間部１８を液密に隔別している。
【００２０】
上記隔壁部材１９には中心部からずれた位置、つまり上記液溜め管８に対して軸線を径方向に所定寸法ずらした位置に連通管２１が厚さ方向に貫通して設けられている。この連通管２１は上記容器１の閉塞端側に位置する一端が上記隔壁部材１９の一方の板面から上記第２の空間部１８へ所定寸法突出し、上記容器１の開口端側に位置する他端は上記隔壁部材１９の他側面とほぼ面一に開口している。
【００２１】
上記容器１の他端部の外周面には円筒状のスタンド部材２３が着脱可能に外嵌される。それによって、容器１はフィルタ装置１１が設けられた他端部を下にして立てて設置することができるようになっている。さらに、容器１の一端部には周方向に１８０度間隔で一対の鍔３４が径方向外方に向かって突設されている。容器１を倒して置いたときに、上記鍔３４によって容器１が回転するのが防止される。
【００２２】
上記注射器２によって図示しないバイアルから薬液を吸引したならば、この注射器２のバレル３に吸引された空気を上記構成の空気抜き装置を用いて排出する。すなわち、注射器２のバレル３から空気抜きを行うには、図３に示すように注射針４を容器１の開口端に設けられた弾性キャップ５に穿刺する。
【００２３】
なお、詳細は図示しないが、弾性キャップ５は消毒された状態でシートによって覆われている。したがって、弾性キャップ５に注射針４を穿刺するには、シートを剥がして行う。それによって、空気抜きを行うことで、注射針４が汚染されるのが防止される。また、容器１も弾性キャップ５と同様、消毒されている。
【００２４】
注射針４を弾性キャップ５に穿刺したならば、容器１とともに注射器２の注射針４を上に向けてバレル３内に入り込んだ空気をバレル３内の上端部、つまり接続部３ａ側に上昇させてからプランジャ６を押し込んで、バレル３内の空気を容器１内に噴出させる。
【００２５】
バレル３から空気を噴出させることで容器１内の圧力が上昇するとともに、空気とともに薬液が霧化して噴出する。容器１内に噴出された空気と薬液のうち、空気は第１の空間部１７から連通管２１を通って第２の空間部１８に入り、そこから液溜め管８を通って接続管体７に接続されたフィルタ装置１１に流入する。フィルタ装置１１のフィルタシート１５は、液体は通さないが気体は通すから、容器１内に噴出された空気はフィルタシート１５を通って外部に流出する。
【００２６】
一方、注射器２から噴出された空気中に含まれる霧化した薬液は、フィルタ装置１１のフィルタシート１５によって外部に流出するのが阻止される。したがって、注射器２から噴射された薬液は容器１内に捕捉され、この容器１の外部に飛散することがないから、医師や看護士などの作業者が霧化した薬液を吸引したり、身体に付着させたりすることなく、注射器２内の空気を抜くことができる。
【００２７】
容器１内に噴射された薬液は、この容器１をフィルタ装置１１が設けられた他端端側を下に向けることで、第１の空間部１７から隔壁部材１９に設けられた連通管２１を通って第２の空間部１８に滴下される。
【００２８】
同じ種類の薬液を１つもしくは複数のバイアルから複数本の注射器２に順次吸引させる場合、１つの容器１を用いて複数本の注射器２の空気抜きを行う。その場合、各注射器２から空気を抜く毎に、容器１の他端側を下に向ける。容器１の他端側、つまり第１の空間部１７側を下に向ければ、第１の空間部１７に噴射された薬液は、隔壁部材１９の板面に開口した連通管２１の他端開口から、この連通管２１を通って第２の空間部１８に滴下する。その際、連通管２１は液溜め管８に対して径方向にずれているから、連通管２１から滴下した薬液が液溜め管８内に入り込むのが防止できる。
【００２９】
したがって、２回目以降にバイアルに注射針４を刺し、図３に示すように容器１を逆さまにして空気抜きを行う際、隔壁部材１９に設けられた連通管２１の一端部が第２の空間部１８に所定寸法突出しているため、図３に示すように第２の空間部１８に溜まった薬液Ｌが隔壁部材１９の上面に溜まり、連通管２１の一端開口を通って第１の空間部１７に戻ることがない。
【００３０】
第１の空間部１７の開口を閉塞した弾性キャップ５は、注射針４が繰り返して穿刺されることで、その穿刺跡によって液密性が損なわれることがある。  
一方、注射器２内に薬液を吸引した後、薬液とともに吸引された気泡を注射器２の注射針４が接続された接続部３ａ側に集めるために、容器１を逆さまにして注射針４を弾性キャップ５に穿刺するということがある。  
このような理由によって容器１を逆さにすると、容器１内の薬液が上記弾性キャップ５の内面に溜まり、この弾性キャップ５に形成された穿刺跡から薬液が漏れ出る虞がある。
【００３１】
しかしながら、この実施の形態では、上述したように隔壁部材１９には連通管２１の一端部を第２の空間部１８に突出させて設けている。そのため、弾性キャップ５に注射針４を刺して容器１を逆さにしても、隔壁部材１９の上面に溜まる薬液Ｌの高さが上記連通管２１の突出長さ以上とならなければ、薬液が第１の空間部１７に戻ることがない。
【００３２】
したがって、１つの容器１を用いて複数本の注射器２の空気抜きを行うとき、容器１を逆さまにしても、弾性キャップ５の穿刺跡から薬液が滲み出て医師や看護師などの作業者に付着するのを防止することができる。
【００３３】
第２の空間部１８には液溜め管８が容器１の内方へ突出して設けられている。そのため、第２の空間部１８に薬液が溜まっても、その薬液の水面が上記液溜め管８の突出高さ以下であれば、薬液は接続管体７を通ってフィルタ装置１１に流れることがない。
【００３４】
フィルタ装置１１のフィルタシート１５は、空気は通すが液体は通すことのない疎水性である。そのため、薬液がフィルタ装置１１に流れてフィルタシート１５上に溜まると、フィルタシート１５の通気性が損なわれて注射器４から噴射された空気が容器１から抜け出ないことになる。それによって、空気抜き時に容器１内の圧力が上昇し、注射器２の空気抜きを円滑かつ確実に行えなくなる虞がある。
【００３５】
しかしながら、上記液溜め管８によって薬液がフィルタ装置１１に流れるのが阻止されることで、このフィルタ装置１１の通気性が損なわれることがないから、注射器２の空気抜きを円滑かつ確実に行うことができる。
【００３６】
このように、この実施の形態の注射器２の空気抜き装置によれば、上述したように、注射器２の空気を抜くときに、空気とともに流出する薬液は、容器１内に確実に捕捉され、外部に飛散するということがないから、安全性を向上させることができる。
【００３７】
注射器２の空気を抜く際、容器１を逆さにしても、容器１内の隔壁部材１９に設けられた連通管２１によって、容器１内に捕捉された薬液が第２の空間部１８から第１の空間部１７に流れて容器１の開口を閉塞した弾性キャップ５の内面に溜まるということがない。そのため、弾性キャップ５に注射針４の穿刺跡があっても、その穿刺跡から薬液が滲み出るのを確実に防止することができる。
【００３８】
容器１内の第２の空間部１８にはフィルタ装置１１が接続された接続管体７に連通する液溜め管８が容器１の内部に突出して設けられている。そのため、第２の空間部１８に滴下した薬液が接続管体７からフィルタ装置１１に流れるのが阻止されるから、フィルタ装置１１のフィルタシート１５に薬液が溜まって、その通気性が損なわれるのを防止することができる。
【００３９】
以上のことにより、注射器２からの空気抜きを安全に、しかも確実に行うことが可能となる。
【００４０】
なお、上記一実施の形態では容器１に接続管体７を設け、この接続管体７にフィルタ装置１１を接続したが、容器１に接続管体７を設けず、容器１とフィルタ装置１１を一体成形してもよい。
【図面の簡単な説明】
【００４１】
【図１】この発明の一実施の形態を示す空気抜き装置の概略的構成を示す断面図。
【図２】注射器の側面図。
【図３】薬液を吸引した注射器の空気抜きを行うときの説明図。
【符号の説明】
【００４２】
１…容器、２…注射器、３…バレル、４…注射針、７…接続管体、８…液溜め管、１１…フィルタ装置、１５…フィルタシート、１７…第１の空間部、１８…第２の空間部１９…隔壁部材、２１…連通管。
【図１】
2007275293.tif 000003
【図２】
2007275293.tif 000004
【図３】
2007275293.tif 000005
【手続補正書】
【提出日】平成18年4月13日(2006.4.13)
【手続補正１】
【補正対象書類名】図面
【補正対象項目名】図３
【補正方法】変更
【補正の内容】
【図３】
2007275293.tif 000006